(57)【要約】【課題】  レーザーで電極を削って周波数調整してもＤＬＤ特性を悪化させることがなく、構造的に簡易な水晶発振器を提供する。【解決手段】  振動体３の部屋と調整用基板４の部屋とを、セラミックパッケージ１の上部１ａに区分けして設け、調整用基板４にはレーザーで削ることができる励振電極４２の配線４１が形成され、調整用基板４上はガラス板５を設けるようにしているので、調整用基板４の構造を振動体３と同様な構造として製造容易とし、ガラス板５の上からレーザーで調整用基板４の部屋内の励振電極４２の配線４１を削って周波数調整を行う水晶発振器である。【選択図】        図３
2019186663.tif 000002
【特許請求の範囲】
【請求項１】
水晶の振動体と周波数調整用の基板とを有する水晶発振器であって、
前記振動体を収容する振動体の部屋と、前記周波数調整用の基板を収容する部屋とを、ベース上に区分けして設け、
少なくとも前記周波数調整用の基板上にガラス板が設けられていることを特徴とする水晶発振器。
【請求項２】
周波数調整用の基板には、周波数調整用の電極と、ガラス板の上からレーザーによってカットされる、前記電極に各々接続する配線とが形成されていることを特徴とする請求項１記載の水晶発振器。
【請求項３】
周波数調整用の基板は、水晶板に金属の電極と配線が形成されていることを特徴とする請求項１又は２記載の水晶発振器。
【発明の詳細な説明】
【技術分野】
【０００１】
本発明は、水晶発振器に係り、特に、レーザーで電極を削って周波数調整を行っても、ＤＬＤ（Drive Level Dependence）特性を悪化させない水晶発振器に関する。
【背景技術】
【０００２】
［従来の技術］
従来の水晶発振器は、水晶振動子をパッケージに封止した後に、透明なカバーを通して外部からレーザーで電極を削って周波数を調整することが行われていた。
【０００３】
［関連技術］
尚、関連する先行技術として、特開２００７−１８９４９０号公報「圧電デバイスおよび圧電デバイス用温度補償回路チップ」（特許文献１）、特開平０９−１８６０４７号公報「コンデンサの容量調整方法及び発振器の周波数調整方法」（特許文献２）がある。
【０００４】
特許文献１には、コンデンサアレイチップを用い、トリミング調整用配線パターンをレーザーでカットして容量を調整することが示されている。
特許文献２には、容量調整用のコンデンサについて淺津壇ラインをレーザーでカットして容量を調整することが示されている。
【先行技術文献】
【特許文献】
【０００５】
【特許文献１】特開２００７−１８９４９０号公報
【特許文献２】特開平０９−１８６０４７号公報
【発明の概要】
【発明が解決しようとする課題】
【０００６】
しかしながら、上記従来の水晶発振器では、レーザーによって電極を削って周波数調整をした場合に、削った電極母材が飛散してＤＬＤ特性が悪化することがあるという問題点があった。
【０００７】
尚、ＤＬＤ特性とは、発振周波数と水晶振動子を励振させるレベル（励振レベル）との関係を示す特性で、水晶振動子に内蔵した水晶チップが小さくなればなるほど、発振周波数は励振レベルの影響を受け、また、発振周波数が高いほど励振レベルの影響を受けることになる。
【０００８】
また、特許文献１，２には、調整用のコンデンサを別に設けてレーザーでカットして調整することが記載されているが、構造的に複雑で、振動体を製造するのと同様な方法で簡易に製造できる構成とはなっていないものである。
【０００９】
本発明は上記実状に鑑みて為されたもので、レーザーで電極を削って周波数調整してもＤＬＤ特性を悪化させることがなく、構造的に簡易な水晶発振器を提供することを目的とする。
【課題を解決するための手段】
【００１０】
上記従来例の問題点を解決するための本発明は、水晶の振動体と周波数調整用の基板とを有する水晶発振器であって、振動体を収容する振動体の部屋と、周波数調整用の基板を収容する部屋とを、ベース上に区分けして設け、少なくとも周波数調整用の基板上にガラス板が設けられていることを特徴とする。
【００１１】
本発明は、上記水晶発振器において、周波数調整用の基板には、周波数調整用の電極と、ガラス板の上からレーザーによってカットされる、電極に各々接続する配線とが形成されていることを特徴とする。
【００１２】
本発明は、上記水晶発振器において、周波数調整用の基板が、水晶板に金属の電極と配線が形成されていることを特徴とする。
【発明の効果】
【００１３】
本発明によれば、水晶の振動体と周波数調整用の基板とを有し、振動体を収容する振動体の部屋と、周波数調整用の基板を収容する部屋とを、ベース上に区分けして設け、少なくとも周波数調整用の基板上にガラス板が設けられる水晶発振器としているので、周波数調整用基板の構造を振動体と同様な構造として製造容易とし、ガラス板の上からレーザーで周波数調整用基板の部屋内の電極の配線を削っても、削った電極母材が振動体の部屋に飛散することがないため、ＤＬＤ特性の悪化を防止できる効果がある。
【図面の簡単な説明】
【００１４】
【図１】本水晶発振器の断面説明図である。
【図２】本水晶発振器の概略図である。
【図３】本水晶発振器の概念図である。
【図４】本水晶発振器の回路構成図である。
【発明を実施するための形態】
【００１５】
本発明の実施の形態について図面を参照しながら説明する。
［実施の形態の概要］
本発明の実施の形態に係る水晶発振器（本水晶発振器）は、振動体の部屋と周波数調整用基板の部屋とを、ベース上に区分けして設け、周波数調整用基板にはレーザーで削ることができる励振電極の配線が形成され、振動体と周波数調整用基板をベースのパッケージ内に封止する場合に、少なくとも周波数調整用基板上はガラス板を設けるようにしたものであり、周波数調整用基板の構造を振動体と同様な構造として製造容易とし、ガラス板の上からレーザーで周波数調整用基板の部屋内の励振電極の配線を削っても、削った電極母材が振動体の部屋に飛散することがないため、ＤＬＤ特性の悪化を防止できるものである。
【００１６】
［本水晶発振器の概略構成：図１，図２］
本水晶発振器の概略構成について図１と図２を参照しながら説明する。図１は、本水晶発振器の断面説明図であり、図２は、本水晶発振器の概略図である。
本水晶発振器は、図１に示すように、セラミックパッケージ（ベース）１と、発振回路ＩＣ２と、振動体３と、周波数調整用基板（調整用基板）４と、カバー５とを基本的に有している。
【００１７】
本水晶発振器は、セラミックパッケージ１の上部１ａに振動体３を収容する部屋と、調整用基板４を収容する部屋とを区分けして設け、セラミックパッケージ１の下部１ｂには発振回路ＩＣ２を収容する構造になっている。
【００１８】
［本水晶発振器の各部］
本水晶発振器の各部について具体的に説明する。
セラミックパッケージ１は、上部１ａと、下部１ｂとから構成され、両者が貼り合わされている。
上部１ａは、凹部を２つ備え、一方の凹部には振動体３が収容（収納）され、他方の凹部には調整用基板４が収納されるようになっている。
２つの凹部の底面には配線が形成されており、２つの凹部は同じ製造工程で形成されるものである。
【００１９】
この一方の凹部が、振動体の部屋であり、他方の凹部が、調整用基板の部屋である。
また、下部１ｂは、中央に凹部が形成され、発振回路ＩＣ２を収納するものである。
【００２０】
発振回路ＩＣ２は、セラミックパッケージ１の下部１ｂの内側底面にバンプ６で接続されている。
発振回路ＩＣ２は、振動体３に振動用の電圧を印加し、調整用基板４からの振動周波数を入力し、増幅して外部に発振周波数を出力する。
【００２１】
振動体３は、水晶板の両面に電極が形成され、その電極に発振回路ＩＣ２から電圧が印加され、振動周波数を調整用基板４に出力する。
振動体３は、水晶振動子であるため、セラミックパッケージ１の内側底面に導電性接着剤で接続され、底面との間に隙間が形成される。
【００２２】
調整用基板４は、水晶板等で形成され、金属配線と複数の電極で構成されている。
調整用基板４は、振動子ではないため、セラミックパッケージ１の内側底面から浮かせる必要はなく、底面上に直接搭載している。
【００２３】
調整用基板４を振動体３と同様の方法で製造でき、２つの凹部も同時に製造できるので、本水晶発振器は製造が容易に構造である。
調整用基板４の具体的構成については図３で説明する。
【００２４】
カバー５は、振動体３と調整用基板４をセラミックパッケージ１の内に封止するもので、ガラス板を用いている。ガラス板としているのは、上からレーザーで調整用基板４の配線をカットして周波数を調整するためである。
よって、ガラス板の全面が透明である必要はなく、調整用基板４の上面だけ透明としてもよい。
【００２５】
［本水晶発振器の外観：図２］
本水晶発振器は、図２に示すように、セラミックパッケージ１の下部１ｂの上に上部１ａが形成され、上部１ａには、２つの凹部が形成されている。
２つの凹部の一方に振動体３が配置収納され、他方の凹部に調整用基板４が配置収納されている。
【００２６】
［本水晶発振器の概念図：図３］
次に、本水晶発振器の概要について図３を参照しながら説明する。図３は、本水晶発振器の概念図である。
図３に示すように、左側半分が振動体３の部屋を示しており、右側半分が調整用基板４の部屋を概念的に示している。
【００２７】
振動体３には、電極３１が両面に形成され、一方の電極３１の端子がパッケージのＸＴ端子に接続され、他方の電極３１の端子が調整用基板の一方の配線４１に接続している。
【００２８】
調整用基板４は、水晶等の基板の表面に複数の励振電極４２と、それに接続する配線４１とが形成され、基板の裏面に複数の励振電極４３と、それに接続する配線４４が形成されている。そして、配線４４は、パッケージのＸＴＮ端子に接続している。
ここで、配線と励振電極は金属製である。
【００２９】
周波数調整の作業を行う場合には、封止後に、ガラス板の上からレーザーによって、基板表面の励振電極４２にそれぞれ個別に接続する配線４１の部分を切断（カット）するものである。
当該カットにより、基板の表裏で励振電極４２，４３により形成される容量を削減して全体の容量を調整し、それにより周波数の調整を行う。
【００３０】
［本水晶発振器の回路構成：図４］
次に、本水晶発振器の回路構成について図４を参照しながら説明する。図４は、本水晶発振器の回路構成図である。
本水晶発振器は、図４に示すように、回路的には、振動体３と、第１のインバータ回路２１と、第２のインバータ回路２２と、調整用基板４とが設けられている。
【００３１】
具体的には、第１のインバータ回路２１と第２のインバータ回路２２が直列に接続され、第２のインバータ回路２２からの出力が発振器出力となる。
振動体３と第１のインバータ回路２１とが並列に接続され、第１のインバータ回路２１の入力端子に振動体３の一方に端子が接続し、第１のインバータ回路２１の出力端子に振動体３の他方の端子が接続している。
【００３２】
そして、振動体３の他方の端子と第１のインバータ回路２１の出力端子とを結ぶ配線部分に調整用基板４の回路が形成される。当該回路は、複数の容量が並列接続となっており、容量は励振電極４２と励振電極４３とで構成され、励振電極４２には配線４１が接続し、励振電極４３には配線４４が接続している。
【００３３】
ここで、周波数調整時には、励振電極４２に接続する配線４１の個別接続配線部分をレーザーで切断するものであり、切断する箇所を増やせば、図４の右側にグラフに示すように、負荷容量特性を制御することができる。
グラフは、負荷容量特性を示すもので、横軸が負荷容量で、縦軸が周波数変化率であり、切断する配線部分を増やすと、負荷容量が相対的に大きくなる方向に制御される。
【００３４】
［実施の形態の効果］
本水晶発振器によれば、振動体３の部屋と調整用基板４の部屋とを、セラミックパッケージ１の上部１ａに区分けして設け、調整用基板４にはレーザーで削ることができる励振電極４２の配線４１が形成され、調整用基板４上はガラス板５を設けるようにしているので、調整用基板４の構造を振動体３と同様な構造として製造容易とし、ガラス板５の上からレーザーで調整用基板４の部屋内の励振電極４２の配線４１を削っても、削った電極母材が振動体３の部屋に飛散することがないため、ＤＬＤ特性の悪化を防止できる効果がある。
【産業上の利用可能性】
【００３５】
本発明は、レーザーで電極を削って周波数調整してもＤＬＤ特性を悪化させることがなく、構造的に簡易な水晶発振器に好適である。
【符号の説明】
【００３６】
１…セラミックパッケージ、  １ａ…上部、  １ｂ…下部、  ２…発振回路ＩＣ、  ３…振動体、  ４…周波数調整用基板（調整用基板）、  ５…カバー、  ６…バンプ、  ２１…第１のインバータ回路、  ２２…第２のインバータ回路、  ３１…電極、  ４１，４４…配線、  ４２，４３…励振電極
【図１】
2019186663.tif 000003
【図２】
2019186663.tif 000004
【図３】
2019186663.tif 000005
【図４】
2019186663.tif 000006